【手続補正書】
【提出日】令和2年9月11日(2020.9.11)
【手続補正１】
【補正対象書類名】明細書
【補正対象項目名】発明の名称
【補正方法】変更
【補正の内容】
【発明の名称】熱可塑性のプリフォームから容器を製造するための装置
【手続補正２】
【補正対象書類名】明細書
【補正対象項目名】０００１
【補正方法】変更
【補正の内容】
【０００１】
本発明は、特許請求の範囲の請求項１の前提部分に従う装置、に関するものである。好ましくは、ブロー成形によって、つまりガス状の流体によって、又は、液状の充填物によって、ボトルを製造するための方法及び装置に関連している。
【手続補正３】
【補正対象書類名】明細書
【補正対象項目名】００１０
【補正方法】変更
【補正の内容】
【００１０】
本発明の課題は、充填された容器の処理ホイール上での液体損失を避けることが可能である装置を創出することである。本発明の別の課題は、ブロー成形時又は液体での充填時における型の改善された閉鎖を可能とする装置を示すことである。
【手続補正４】
【補正対象書類名】明細書
【補正対象項目名】００１１
【補正方法】変更
【補正の内容】
【００１１】
課題を解決するため、本発明に従う方法は次の特徴を有してもよい。熱可塑性のプリフォームから容器を製造するための方法が企図されており、その際、容器はプリフォームから流体を用いて、ブロー成形によって製造されまたそれに続き特には液状の流体で充填される、又は液圧成形（ハイドロフォーミング）によって製造されまたそれによりその後容器は内容物として予定される液状の流体を含んでいる、また、容器はブロー成形の間及び／又は特には液状の流体を収容する間、開放可能な型内で特には鉛直な回転軸の周りでこの回転軸から間隔をおいて回転する。
【手続補正５】
【補正対象書類名】明細書
【補正対象項目名】００２９
【補正方法】変更
【補正の内容】
【００２９】
課題を解決するために企図される装置は、次の特徴を有していてもよい。熱可塑性のプリフォームから容器を製造するための装置は、回転軸周りで特には鉛直（垂直）な回転軸の周りで回転する加工ホイールを設けられており、当該加工ホイール上には、周方向で互いに連続する複数のステーションが、容器を収容するためのそして特には容器を整形するための型を備えて設けられており、それらは加工ホイールと共に回転する。その際、特には、それぞれのステーションに、流体を供給するための特には圧力下にある流体を供給するためのバルブユニットが割り当てられており、また、型は容器を取り出すために開放可能である。閉じられた型は、回転軸の周りでの回転の少なくとも一部分に沿って、傾斜位置で、すなわち、鉛直位置からずれた位置で、存在している。そのため、閉じられた型はそのステーション内で傾斜可能である（傾けられ得る）。
【手続補正６】
【補正対象書類名】明細書
【補正対象項目名】００３８
【補正方法】変更
【補正の内容】
【００３８】
本発明の更なる着想に従い、型の閉鎖保持を格別に良好に可能とする本発明に従う装置は、独立請求項１の特徴を有している。熱可塑性のプリフォームから容器を製造するための装置は、回転軸周りで特には鉛直（垂直）な回転軸の周りで回転する加工ホイールを設けられており、当該加工ホイール上には、周方向で互いに連続する複数のステーションが、容器を収容するためのそして特には容器を整形するための型を備えて設けられており、それらは加工ホイールと共に回転する。その際、特には、それぞれのステーションに、流体を供給するための特には圧力下にある流体を供給するためのバルブユニットが割り当てられており、また、型は容器を取り出すために開放可能である。本発明に従い、閉じられた型を内圧によって引き起こされる開放に対して保護するためのスラストベアリングが設けられており、その際、スラストベアリング及び型は、互いに関して移動可能である、すなわち、スラストベアリングが閉じられた型に対して、特には型の互いに向かい合う側部で、外側から力を及ぼす圧力受容位置と、スラストベアリングが型に対して力を及ぼさない別の位置の間で、移動可能である。特に、型は、特には固定した、スラストベアリングの間にあり、また再び逆移動可能である。
【手続補正７】
【補正対象書類名】特許請求の範囲
【補正対象項目名】全文
【補正方法】変更
【補正の内容】
【特許請求の範囲】
【請求項１】
熱可塑性のプリフォーム（３１）から容器（３０）を製造するための装置にして、特には鉛直な回転軸（５０）の周りで回転する加工ホイール（３８）を備え、当該加工ホイール（３８）上には、周方向で互いに連続する複数のステーション（Ｓ１、・・・、Ｓ１２）が、前記容器（３０）を収容するためのそして特には前記容器（３０）を整形するための型（３９）と共に回転し、その際特には、それぞれのステーション（Ｓ１、・・・、Ｓ１２）に、特には圧力下にある流体を供給するための１つのバルブユニット（６７）が割り当てられており、また、前記型（３９）が前記容器（３０）を取り出すために開放可能である、装置において、
閉じられた前記型（３９）を内圧によって引き起こされる開放に対して保護するためのスラストベアリング（５１、５２；５３、５４）であって、
前記スラストベアリング（５１、５２；５３、５４）及び前記型（３９）が、互いに関して、前記スラストベアリング（５１−５４）が閉じられた前記型（３９）に対して、特には前記型（３９）の互いに向かい合う側部で、外側から力を及ぼす圧力受容位置と、前記スラストベアリング（５１−５４）が前記型（３９）に対して力を及ぼさない別の位置の間で、移動可能であるような前記スラストベアリング（５１、５２；５３、５４）、を特徴とする装置。
【請求項２】
請求項１に記載の装置において、
前記ステーション（Ｓ１、・・・、Ｓ１２）内の前記型（３９）が、それぞれ傾斜軸（Ｎ）の周りで傾斜可能に支持されており、その際、前記傾斜軸（Ｎ）は、前記スラストベアリング（５１、・・・、５４）によってそれぞれの閉じられた前記型（３９）へ力を及ぼす際に発生する複数の力の、力の中心の近傍で、力の分布が前記傾斜軸（Ｎ）の両側で２／３に対して１／３よりも不均等ではないように、延伸していること、を特徴とする装置。
【請求項３】
請求項１又は２に記載の装置において、
前記ステーション（Ｓ１、・・・、Ｓ１２）内の前記型（３９）が、それぞれ傾斜軸（Ｎ）の周りで傾斜可能に支持されており、その際、前記傾斜軸（Ｎ）は、それぞれのモールドシェル（４５、４６）の前記スラストベアリング（５１−５４）の間で、直近の前記スラストベアリング（５１−５４）に対する前記傾斜軸（Ｎ）の間隔が、最大でも、最遠の前記スラストベアリング（５１−５４）に対する間隔の半分の大きさ、であるように延伸していること、を特徴とする装置。
【請求項４】
請求項１から３の何れか一項に記載の装置において、
前記スライドベアリング（５１−５４）が、閉じられた前記型（３９）が圧力受容位置において前記スラストベアリング（５１−５４）によりセンタリングされて作用を及ぼされるようなセンタリング機能を、有していること、を特徴とする装置。
【請求項５】
請求項１又は請求項２から４の何れか一項に記載の装置において、
前記スラストベアリング（５１−５４）が、前記型（３９）に対して接触するためのプランジャ（５５）であって駆動されて移動可能なプランジャ（５５）を含んでいること、特には液圧プランジャを含んでいること、を特徴とする装置。
【請求項６】
請求項１又は請求項２から５の何れか一項に記載の装置において、
１つのステーションの互いに向かい合って存在している前記スラストベアリング（５１、５２；５３、５４）が、力及び形状に基づいて固定された状態で互いに連結されており、特には共通のベアリングサポート（６０、６３）にて支持されており、当該ベアリングサポート（６０、６３）がそれぞれの前記型（３９）を収容するためのベアリングギャップを形成していること、を特徴とする装置。
【請求項７】
請求項１又は請求項２から６の何れか一項に記載の装置において、
互いに向かい合って存在している前記スラストベアリング（５１、５２）は、それぞれの前記型（３９）の上部領域のために設けられており、特には、半径方向外側に開いたベアリングギャップを有するベアリングサポートを備えていること、を特徴とする装置。
【請求項８】
請求項６又は７に記載の装置において、
互いに向かい合って存在している前記スラストベアリング（５３、５４）が、それぞれの前記型（３９）の下部領域のために設けられており、特には、半径方向内側に開いたベアリングギャップを有するベアリングサポート（６３）を備えていること、を特徴とする装置。
【請求項９】
請求項８に記載の装置において、
下部の前記ベアリングサポート（６３）のサポート脚部（６１、６２）が斜め上方へ指向されており、その結果、前記サポート脚部（６１、６２）を接続するサポートベースが、容器底部の平面の下方に存在すること、を特徴とする装置。
【請求項１０】
請求項１から９の何れか一項に記載の装置において、
前記型（３９）のモールドシェル（４５、４６）が、型保持部（４４）にて支持されており、その際、それぞれの前記型保持部（４４）が１つのモールドシェル（４５、４６）を支えており、また、１つの型（３９）に割り当てられた複数の型保持部（４４）は、前記モールドシェル（４５、４６）と共に、前記型（３９）を開くために互いに離れるように、移動可能であり、また、前記型（３９）を閉じるために、特には前記モールドシェルの間の垂直な分離面（４８）を有して、互いに向かい合うように、移動可能であり、を特徴とする装置。
【請求項１１】
請求項１から１０の何れか一項に記載の装置において、
前記型（３９）の前記モールドシェル（４５、４６）は、直に直接前記型保持部（４４）にて支持されていること、すなわち、それらの間に配設された型収容部又は型閉鎖保持部がないこと、を特徴とする装置。
【請求項１２】
請求項１０又は１１に記載の装置において、
前記モールドシェル（４５、４６）は前記型保持部（４４）にて、特には傾斜軸（Ｎ）の周りで、傾斜可能であること、及び、前記型保持部（４４）又は前記モールドシェル（４５、４６）はそのために傾斜ベアリング（４３）を有していること、を特徴とする装置。